(57)【要約】【課題】  車両が走行方向の道路を旋回することが可能か否かを警告する。【解決手段】  車両の走行前方における道路形状を取得する（Ｓ２０２）とともに、車両の最小旋回半径を算出してメモリに記憶し、取得した道路形状とメモリに記憶した車両の最小旋回半径を比較して、車両が走行前方の道路を旋回することが可能か否かを判定する（Ｓ２０４）。判定結果に基づいて、車両が走行前方の道路を旋回することが可能か否かを警告する（Ｓ２０６、Ｓ２０８）。【選択図】        図８
2006027343.tif 000002
【特許請求の範囲】
【請求項１】
牽引用のトラクターにトレーラーが連結された車両に搭載される車載装置であって、
前記車両の走行前方における道路形状を取得する道路形状取得手段と、
前記車両の最小旋回半径を算出して記憶媒体に記憶する最小旋回半径記憶手段と、
前記道路形状取得手段によって取得された前記道路形状と前記最小旋回半径記憶手段に記憶された前記車両の最小旋回半径を比較して、前記車両が走行前方の道路を旋回することが可能か否かを判定する判定手段と、
前記判定手段の判定結果に基づいて警告を行う警告手段と、を備えたことを特徴とする車載装置。
【請求項２】
前記最小旋回半径記憶手段は、前記トラクターの旋回半径を算出する旋回半径算出手段と、
前記トラクターと前記トレーラーの連結部における前記トラクターの前後方向と前記トレーラーの前後方向のなす角度を検出する角度検出手段と、を備え、
前記角度検出手段によって検出された前記トラクターの前後方向と前記トレーラーの前後方向のなす角度の最大値と、前記旋回半径取得手段によって取得された前記トラクターの旋回半径に基づいて前記車両の最小旋回半径を算出して記憶媒体に記憶することを特徴とする請求項１に記載の車載装置。
【請求項３】
前記判定手段は、前記道路形状取得手段が取得した前記道路形状に基づいて車両の走行前方における道路の走行レーン内側の曲率半径を求め、この走行レーン内側の曲率半径よりも前記最小旋回半径取得手段によって取得された車両の最小旋回半径の方が大きい場合、前記車両が走行前方の道路を旋回することが不可能であると判定することを特徴とする請求項１または２に記載の車載装置。
【請求項４】
前記警告手段は、前記判定手段によって前記車両の走行前方の道路を旋回することが不可能であると判定された場合、前記トラクターの旋回半径が大きくなるような運転を促す警告を行うことを特徴とする請求項１ないし３のいずれか１つに記載の車載装置。
【請求項５】
前記警告手段は、旋回可否判定手段によって前記道路の旋回が不可能であると判定された場合、走行不可能である旨の警告を行うことを特徴とする請求項１ないし４のいずれか１つに記載の車載装置。
【発明の詳細な説明】
【技術分野】
【０００１】
本発明は、車両の走行に関する情報を検知して運転者に警告する車載装置に関する。
【背景技術】
【０００２】
この種の車載装置としては、車両が交差点やカーブ等を旋回する際に生じる車両のロール角を検出して、運転者に警告を行うものがある（例えば、特許文献１参照）。
【特許文献１】特開２００２−２７４２１４号公報
【発明の開示】
【発明が解決しようとする課題】
【０００３】
ところで、貨物輸送車両には、牽引用のトラクターにトレーラーを連結装置で結合または分離できるようになったものがある。
【０００４】
このような車両は、車両の全長が長く旋回時の内輪差が大きいため、運転者には高度な運転技術が要求される。特に、このような牽引用のトラクターにトレーラーを連結した車両は、連結するトレーラーの長さによって内輪差が変わるため、運転の仕方によっては、交差点やカーブを曲がり切れないといった状況が考えられる。
【０００５】
しかしながら、このような牽引用のトラクターにトレーラーが連結された車両が交差点やカーブの旋回が可能か否かを判定して運転者に案内するものは提案されていない。
【０００６】
本発明は上記問題に鑑みたもので、車両が走行前方の道路を旋回することが可能か否かを警告する車載装置を提供することを目的とする。
【課題を解決するための手段】
【０００７】
上記目的を達成するため、請求項１に記載の発明では、牽引用のトラクターにトレーラーが連結された車両に搭載される車載装置であって、車両の走行前方における道路形状を取得する道路形状取得手段と、車両の最小旋回半径を算出して記憶媒体に記憶する最小旋回半径記憶手段と、道路形状取得手段によって取得された道路形状と最小旋回半径記憶手段に記憶された車両の最小旋回半径を比較して、車両が走行前方の道路を旋回することが可能か否かを判定する判定手段と、判定手段の判定結果に基づいて警告を行う警告手段と、を備えたことを特徴としている。
【０００８】
このように、判定手段は、車両の最小旋回半径を算出して記憶媒体に記憶する最小旋回半径記憶手段と、道路形状取得手段によって取得された道路形状と最小旋回半径記憶手段に記憶された車両の最小旋回半径を比較して、車両が走行前方の道路を旋回することが可能か否かを判定し、警告手段は、判定手段の判定結果に基づいて警告を行うので、車両が走行前方の道路を旋回することが可能か否かを警告することができる。
【０００９】
また、請求項２に記載の発明のように、最小旋回半径記憶手段は、トラクターの旋回半径を算出する旋回半径算出手段と、トラクターとトレーラーの連結部におけるトラクターの前後方向とトレーラーの前後方向のなす角度を検出する角度検出手段と、を備え、角度検出手段によって検出されたトラクターの前後方向とトレーラーの前後方向のなす角度の最大値と、旋回半径取得手段によって取得されたトラクターの旋回半径に基づいて車両の最小旋回半径を算出して記憶媒体に記憶することによって実現することができる。
【００１０】
また、請求項３に記載の発明のように、判定手段は、道路形状取得手段が取得した道路形状に基づいて車両の走行前方における道路の走行レーン内側の曲率半径を求め、この走行レーン内側の曲率半径よりも最小旋回半径取得手段によって取得された車両の最小旋回半径の方が大きい場合、車両が走行前方の道路を旋回することが不可能であると判定することができる。
【００１１】
また、請求項４に記載の発明のように、警告手段は、判定手段によって車両の走行前方の道路を旋回することが不可能であると判定された場合、トラクターの旋回半径が大きくなるような運転を促す警告を行うことができる。
【００１２】
また、請求項４に記載の発明のように、警告手段は、旋回可否判定手段によって道路の旋回が不可能であると判定された場合、走行不可能である旨の警告を行うことができる。
【発明を実施するための最良の形態】
【００１３】
本発明の一実施形態に係る車載装置は、図１に示すような牽引用のトラクター２とトレーラー３が連結装置で連結または分離されるように構成された車両に搭載される。
【００１４】
トラクター２には連結装置としてのカプラー５０が取り付けられ、トレーラー３の床下には同心円柱形状のキングピン３０が取り付けられている。そして、カプラー５０とキングピン３０によってトラクターとトレーラーが結合、分離できるようになっている。
【００１５】
本実施形態では、トラクター２とトレーラー３の連結部に非接触角度計が設けられ、この非接触角度計によってトラクター２の前後方向とトレーラー３の前後方向のなす角度を検出するようになっている。車載装置は、この非接触角度計によって検出された角度を用いてトレーラー３の最小旋回半径を算出する。
【００１６】
まず、図２〜４を参照して、トラクター２とトレーラー３の連結部に設けられる非接触角度計について説明する。
【００１７】
図２（ａ）に、カプラー５０とキングピン３０の連結前の状態を示す。カプラー５０は、トレーラー３の荷重の支持を行うカプラーベース５１、トレーラー３のキングピン３０と結合して牽引力の伝達を行うジョー５２、このジョー５２をロックするためのロック５３、ロック５３のロックを解除するためのレバー５４を備えている。
【００１８】
ジョー５２にはグリースが塗布されており、図２（ｂ）に示すように、ジョー５２が同心円柱形状のキングピン３０を挟み込むことでカプラー５０とキングピン３０が結合するとともに、ロック５３によってジョー５２がロックされ、カプラー５０とキングピン３０の連結状態となる。
【００１９】
また、レバー５２の操作によってロック５３のロックが解除されると、キングピン３０はジョー５２から解放され、カプラー５０とキングピン３０は分離される。
【００２０】
このように、トラクター２とトレーラー３は、カプラー５０とキングピン３０によって連結、分離されるようになっている。
【００２１】
上記した非接触角度計は、トラクター２とトレーラー３の連結部に設けられる。
【００２２】
図３に、非接触角度計の概略構成を示す。図３（ａ）は、非接触角度計を側面から見た図、図３（ｂ）は、非接触角度計を下面から見た図である。なお、図３（ａ）、（ｂ）において、カプラー５０は省略されている。
【００２３】
図３（ａ）に示すように、非接触角度計４は、回転子４ａと固定子４ｂを備えている。固定子４ｂは、トラクター２側に固定された板ばね２ａによって支持され、この固定子４ｂの上部に回転子４ａが回転可能に設けられている。非接触角度計４は、トラクター２とトレーラー３が連結されたとき、図３（ｂ）に示すように、キングピン３０の中心軸と、回転子４ａの回転軸が略同一となるように設けられている。
【００２４】
また、回転子４ａは、図示しない電磁石を有し、この電磁石のコイルに電流が流れない状態では、キングピン３０と隙間を設けた場所に位置し、電磁石のコイルに電流が流れると、図４に示すように回転子４ａがキングピン３０に吸着するようになっている。
【００２５】
そして、非接触角度計４は、光または磁気を利用して回転子４ａと固定子４ｂのなす角度を非接触で検出し、検出した角度に応じた信号を出力する。
【００２６】
次に、図５を参照して、車載装置の構成について説明する。車載装置１は、一般的なナビゲーション装置を利用したもので、トラクター２に搭載される。
【００２７】
車載装置１は、位置検出器１１、地図データ入力器１６、操作スイッチ群１７、制御回路１８、外部メモリ１９、表示装置２０、リモコンセンサ２１、入出力インタフェース２３および音声出力装置２４を備えている。
【００２８】
位置検出器１１は、周知の地磁気センサ１２、ジャイロスコープ１３、距離センサ１４および衛星からの電波に基づいて車両の位置を検出するためのＧＰＳ受信機１５を有している。これらのセンサ１２〜１５は各々が性質の異なる誤差を持っているため、複数のセンサを各々補間しながら使用するように構成されている。
【００２９】
地図データ入力器１６は、位置検出精度を向上するためのいわゆるマップマッチングデータや道路データを含む地図データ等を入力するための装置である。これらの各種データを記憶する記憶媒体としては、そのデータ量からＣＤ−ＲＯＭ、ＤＶＤまたはハードディスクドライブなどを用いるのが一般的であるが、メモリカードなど他の媒体を用いてもよい。
【００３０】
操作スイッチ群１７は、表示装置２０の表示画面の周囲に設けられた複数の押しボタンスイッチからなり、ユーザーによる押しボタンスイッチの押下に基づいた信号を制御回路１８に出力する。
【００３１】
外部メモリ１９は、制御回路１８の内部とは別に設けられる記憶部で、ＲＯＭあるいはＲＡＭなどから構成され、各種のデータやプログラムなどが記憶されるようになっている。
【００３２】
表示装置２０は、液晶ディスプレイ等の表示画面を有し、制御回路１８からの映像信号に応じて液晶ディプレイ等の表示画面に当該映像を表示させる。
【００３３】
リモコンセンサ２１は、ユーザーの操作に基づいて赤外線等による無線信号を送信するリモコン２３から受信した信号を制御回路１８へ出力する。
【００３４】
入出力インタフェース２３は、車両の各種機器と信号の入出力を行うもので、ステアリングセンサ（図示せず）からの操舵角の変化を示すパルス信号、車速センサからの車速を示す車速信号、カプラー５０からジョー５２がキングピン３０をロックしているか否かを示す信号等が入力される。
【００３５】
音声出力装置２４は、スピーカを有し、制御回路１８からの音声信号に応じてスピーカに当該音声を出力させる。
【００３６】
制御回路１８は、通常のコンピュータとして構成されており、内部にはＣＰＵ、ＲＯＭ、ＲＡＭ、フラッシュメモリ、Ｉ／Ｏおよびこれらの構成を接続するバスラインが備えられている。
【００３７】
制御回路１８は、ＲＯＭ、地図データ入力器１６、外部メモリ１９からナビゲーション装置としての動作のためのプログラムとして経路探索プログラムや地図表示プログラムを読み出して実行する。
【００３８】
経路探索プログラムは、操作スイッチ群１７またはリモコン２３により目的地が設定されると、現在地からその目的地までの最適な経路を自動的に選択して案内経路を形成し、表示装置２０に表示させる。自動的に最適な経路を設定する手段としては、ダイクストラ法等が知られている。
【００３９】
地図表示プログラムは、位置検出器１１のセンサ１２〜１５から入力される各種信号に基づき現在地情報を算出し、算出した現在地情報に基づく車両現在地マークと、地図データ入力器１６より読み出した地図データと、経路探索プログラムによって形成した案内経路等の付加データを重ねてその表示画面に表示させる。
【００４０】
本実施形態において、制御回路１８は、経路探索プログラムや地図表示プログラム等に基づくナビゲーション機能に加え、位置検出器１１から入力される信号および非接触角度計４から入力される角度から車両の最小旋回半径を算出してメモリに記憶する処理を行う。
【００４１】
次に、図６を参照して、車両の最小旋回半径の算出について説明する。
【００４２】
図６において、トラクター２の進行方向中心線はＡＢ、トレーラー３の進行方向中心線はＣＤ、キングピンの位置はＥ、トラクター２とトレーラー３の旋回中心はＦ、トレーラーの内接旋回半径はＦＧとして表されている。
【００４３】
トラクター２とトレーラー３のなす角度θ＝∠ＡＥＣ、∠ＡＥＦ＝９０°、∠ＣＥＤ＝１８０°であるため、数式１で表される。
【００４４】
（数式１）
∠ＡＥＣ＋∠ＤＥＦ＝９０°
また、∠ＣＤＦ＝９０°、∠ＣＤＦ＋∠ＦＥＤ＋∠ＤＦＥ＝１８０°であるため、∠ＦＥＤ＋∠ＤＦＥは、数式２で表される。
【００４５】
（数式２）
∠ＦＥＤ＋∠ＤＦＥ＝９０°
そして、数式１、数式２より、∠θは数式３で表される。
【００４６】
（数式３）
∠θ＝∠ＡＥＣ＝∠ＥＦＤ
トラクター２の中心旋回半径（ＦＥの長さ）をＲｍ、トレーラー３の中心旋回半径（ＦＤの長さ）をＲｔとすると、数式１、数式３からＲｍ×ｃｏｓθ＝Ｒｔの関係が成り立つ。
【００４７】
したがって、トレーラー３の内接旋回半径（ＦＧの長さ）をＲｉ、トレーラー３の幅をＷｔとすると、トレーラー３の内接旋回半径Ｒｉは、数式４で表される。
【００４８】
（数式４）
Ｒｉ＝Ｒｔ−Ｗｔ／２＝Ｒｍ×ｃｏｓθ−Ｗｔ／２
なお、トレーラー３の幅Ｗｔは、定数として扱うことができる。
【００４９】
制御回路１８は、位置検出器１１から入力される信号に基づいてトラクター２の中心旋回半径Ｒｍを算出し、非接触角度計４によって検出される角度によってトラクター２とトレーラー３のなす角度θを求め、更に、トラクター２の中心旋回半径Ｒｍおよびトラクター２とトレーラー３のなす角度θに基づいて、トレーラー３の内接旋回半径Ｒｉを算出することができる。
【００５０】
また、走行中にトラクター２のステアリングを最大まで旋回させたとき、トラクター２の中心旋回半径Ｒｍが最小、かつ、トラクター２とトレーラー３のなす角度θが最大となる。
【００５１】
制御回路１８は、このときのトレーラー３の内接旋回半径Ｒｉを、車両の最小旋回半径として求めることができる。
【００５２】
次に、図７を参照して、車載装置１の制御回路１８のＣＰＵの処理について説明する。車載装置１の電源がオンされ、ユーザーの操作スイッチ群１７またはリモコン２３の操作により経路探索プログラムが起動されると、制御回路１８は、現在地から目的地までの最適な案内経路を設定して、設定した案内経路に従って経路案内を開始する。ユーザーは、この経路案内に従って運転するものとする。
【００５３】
制御回路１８は、入出力インタフェース２４を介してカプラー５０からキングピン３０をロックしたことを示す旨の信号が入力されると、経路案内処理と並行して、図７に示す処理を開始する。
【００５４】
まず、非接触角度計４によって検出される角度の直列補正を行う。非接触角度計４の回転子４ａと固定子４ｂのなす角度は相対値として検出されるため、基準となる角度を予め検出しておく必要がある。このため、トラクターとトレーラーが直列となった状態における回転子４ａと固定子４ｂのなす角度を検出して、この検出した角度を基準値としてメモリに記憶する（Ｓ１００）。
【００５５】
なお、制御回路１８は、ステアリングセンサからの信号に基づく操舵角の変化が一定、かつ、ジャイロスコープ１３からの信号に基づくヨー角が一定、かつ、車速センサからの車速信号に基づく走行距離が法規定のトレーラー長の２倍以上であるといった条件を満たす場合、トラクター２とトレーラー３が直列であると判定し、このとき非接触角度計４が検出した角度を基準値としてメモリに記憶する。
【００５６】
制御回路１８は、非接触角度計４から入力される角度からメモリに基準値として記憶された角度を差し引くことによって、トラクター２の前後方向とトレーラー３の前後方向のなす角度θを求めることができる。
【００５７】
次に、車両の最小旋回半径を算出してメモリに記憶する。具体的には、走行中にトラクター２のステアリングを最大まで旋回させ、このとき位置検出器１１から入力される信号に基づいてトラクター２の中心旋回半径Ｒｍを求めるとともに、非接触角度計４から入力される角度からトラクター２とトレーラー３のなす角度θの最大値を求める。そして、このときの中心旋回半径Ｒｍとトラクター２とトレーラー３のなす角度θの最大値から、数式４を用いてトレーラー３の内接旋回半径Ｒｉを算出する。そして、このトレーラー３の内接旋回半径Ｒｉを車両の最小旋回半径としてメモリに記憶し（Ｓ１０２）、Ｓ２００の警告処理へ進む。
【００５８】
次に、図８を参照して、警告処理について説明する。
【００５９】
まず、トラクター２の走行前方の道路データを取得する。具体的には、位置検出器１１からの信号に基づいてトラクター２とトレーラー３の連結部Ｅの現在位置および進行方向を求め、トラクター２の走行前方の道路データを地図データ入力器１６の記憶媒体から取得する（Ｓ２０２）。
【００６０】
地図データ入力器１６の記憶媒体には、図９（ａ）に示すように、道路上にある形状点（ノード）Ｐ0、Ｐ1、…、Ｐ6が道路データとして記憶されており、各形状点のデータは、位置座標、曲率半径などのデータから構成されている。また、道路データには、図９（ｂ）に示すような走行レーンを含む道路形状、道路幅、レーン数等のデータも含まれる。
【００６１】
次に、車両が走行前方の道路を旋回することが可能であるか否かを判定する。具体的には、図１０に示すように、地図データ入力器１６の記憶媒体から取得した道路データから、走行前方の道路の走行レーンの内側輪郭部に形状点Ｐ10、Ｐ11、…、Ｐ16を設定し、各形状点の曲率半径を求める。そして、これらの走行前方の道路の走行レーンの内側輪郭部に設定した各形状点の曲率半径（走行レーン内側の曲率半径）とＳ１０２においてメモリに記憶した車両の最小旋回半径を比較して、車両が走行前方の道路を旋回することが可能であるか否かを判定する（Ｓ２０４）。
【００６２】
ここで、走行前方の道路の内側輪郭部に設定した各形状点の各曲率半径が車両の最小旋回半径よりも小さい場合、車両が走行前方の道路を旋回することが不可能であると判定し（２０４でＮＯと判定）、車両が走行前方の道路を旋回することが不可能であることを警告する。例えば、音声出力装置２４から、「このまま走行レーンを走行すると、車輪が道路から逸脱する可能性があるので旋回できません。」といったメッセージを案内させる（Ｓ２０６）。
【００６３】
次に、トラクター２の旋回半径が大きくなるような運転を促す警告を行う。例えば、図１１に示すように車両が左折する場合、左折地点の所定距離手前で、音声出力装置２４から、「左折します。このまま左折すると車輪が道路から逸脱する可能性があるので、旋回半径が大きくなるように、右への方向指示灯をつけて２車線に跨りながら走行した後、左への方向指示灯をつけて左折して下さい。」といったメッセージを案内させ（Ｓ２０７）、図７のＳ３００へ進む。
【００６４】
また、Ｓ２０４において、走行前方の道路の内側輪郭部に設定した各形状点の各曲率半径が車両の最小旋回半径よりも大きい場合、車両が走行前方の道路を旋回することが可能であると判定し（１０４でＹＥＳと判定）、例えば、音声出力装置２４から、「この先、旋回可能です。」といったメッセージを案内させ（Ｓ２０８）、図７のＳ３００へ進む。
【００６５】
図７の説明に戻り、Ｓ３００では、カプラー５０からジョー５２がキングピン３０をロックしていることを示す信号が入力されたか否かに基づいて、ジョー５２がキングピン３０を開放したか否かを判定する。具体的には、カプラー５０からジョー５２がキングピン３０をロックしていることを示す信号が入力されている場合、ジョー５２がキングピン３０をロックしていると判定し、カプラー５０からジョー５２がキングピン３０のロックを解放したことを示す信号が入力された場合、ジョー５２がキングピン３０を解放したと判定する（Ｓ３００）。
【００６６】
ここで、ジョー５２がキングピン３０をロックしていると判定した場合（Ｓ３００でＮＯと判定）、Ｓ２００の処理へ戻る。
【００６７】
なお、ジョー５２がキングピン３０をロックしている場合、トラクターには同一のトレーラーが結合されていることになるため、Ｓ１００、Ｓ１０２の処理を省略してＳ２００の処理へ戻ることができる。
【００６８】
また、Ｓ３００において、ジョー５２がキングピン３０を解放したと判定した場合（Ｓ３００でＹＥＳと判定）、本処理を終了する。
【００６９】
上記したように、車載装置１は、車両の走行前方における道路形状を取得するとともに、車両の最小旋回半径を算出してメモリに記憶し、取得した道路形状とメモリに記憶した車両の最小旋回半径を比較して、車両が走行前方の道路を旋回することが可能か否かを判定し、判定結果に基づいて警告を行う。これにより、車両が走行前方の道路を旋回することが可能か否かを警告することができる。
【００７０】
なお、上記実施形態において、道路形状取得手段は図８のＳ２０２の処理に相当し、最小旋回半径記憶手段は図７のＳ１０２の処理に相当し、判定手段は図８のＳ２０４に相当し、警告手段は図８のＳ２０６、Ｓ２０７、Ｓ２０８に相当する。また、旋回半径算出手段は図７のＳ１０２において位置検出器１１から入力される信号に基づいてトラクター２の中心旋回半径Ｒｍを算出する処理に相当し、角度検出手段は図７のＳ１０２において非接触角度計４からの信号に基づいてトラクター２とトレーラー３のなす角度θを検出する処理に相当する。
【００７１】
なお、本発明は上記実施形態に限定されるものではなく、本発明の趣旨に基づいて種々なる形態で実施することができる。
【００７２】
例えば、上記実施形態では、図８のＳ２０４において、走行前方の道路の内側輪郭部に設定した各形状点の曲率半径とＳ１０２においてメモリに記憶した車両の最小旋回半径を比較して、車両が走行前方の道路を旋回することが可能であるか否かを判定する例を示したが、図１２に示すように、トラクター２とトレーラー３の各走行軌跡を予測し、予測したトラクター２とトレーラー３の各位置を走行前方の道路形状と重ね合わせて、車両が走行前方の道路を旋回することが可能であるか否かを判定するようにしてもよい。
【００７３】
また、制御回路１８は、走行前方の道路形状に基づいて、走行前方の道路におけるトラクター２とトレーラー３の走行軌跡を予測し、トラクター２が最も大回りで走行軌跡を描いても走行前方の道路を旋回できないと判定した場合、走行不能である旨を運転者に警告するとともに、他の案内経路の再設定を自動的に行うようにしてもよい。
【００７４】
また、上記実施形態では、図９（ａ）、（ｂ）に示した道路データを例に、車両がカーブを旋回する場合に、このカーブの旋回が可能か否かを判定する例を示したが、カーブの旋回に限ることなく、交差点を右折する場合、交差点を左折する場合などに適用してもよい。また、複数の走行レーンが存在する道路に適用してもよい。
【００７５】
また、制御回路１８は、車速センサから入力される車速信号に基づいて車両の車速を求め、カーブや交差点の手前で、車速が規定値以上の場合、速度を低下させる旨の警告を行うようにしてもよい。
【００７６】
また、上記実施形態において、車載装置１は、牽引用のトラクターにトレーラーが連結される車両に搭載されるものとして示したが、具体的には、セミトレーラー、フルトレーラー（いわゆるセンターアクスル式のフルトレーラーを含む）、ポールトレーラー、ダブルストレーラー、トリプルストレーラー、連接バスなどの車両に搭載することができる。
【図面の簡単な説明】
【００７７】
【図１】牽引用のトラクターとトレーラーが連結装置で連結された状態を示す図である。
【図２】カプラーとキングピンの連結前の状態と連結された状態を示す図である。
【図３】非接触角度計の概略構成を示す図である。
【図４】非接触角度計の動作についての説明図である。
【図５】車載装置のブロック構成を示す図である。
【図６】車両の最小旋回半径の算出について説明図である。
【図７】車載装置の制御回路の処理を示す図である。
【図８】車載装置の制御回路の処理を示す図である。
【図９】道路データについての説明図である。
【図１０】走行前方の道路の内側輪郭部に設定する各形状点の曲率半径についての説明図である。
【図１１】トラクターの旋回半径が大きくなるような運転を促す警告についての説明図である。
【図１２】予測したトラクターとトレーラーの各走行軌跡を走行前方の道路形状と重ね合わせた図である。
【符号の説明】
【００７８】
１…車載装置、２…トラクター、３…トレーラー、１１…位置検出器、
１２…地磁気センサ、１３…ジャイロスコープ、１４…距離センサ、
１５…ＧＰＳ受信機、１６…地図データ入力器、１７…操作スイッチ群、
１８…制御回路、１９…外部メモリ、２０…表示装置、２１…リモコンセンサ、
２２…リモコン、２３…入出力インタフェース、２４…音声出力装置、
３０…キングピン、４…非接触角度計、４ａ…回転子、４ｂ…固定子、
５０…カプラー、５１…カプラーベース、５２…ジョー、５３…ロック、
５４…レバー。
【図１】
2006027343.tif 000003
【図２】
2006027343.tif 000004
【図３】
2006027343.tif 000005
【図４】
2006027343.tif 000006
【図５】
2006027343.tif 000007
【図６】
2006027343.tif 000008
【図７】
2006027343.tif 000009
【図８】
2006027343.tif 000010
【図９】
2006027343.tif 000011
【図１０】
2006027343.tif 000012
【図１１】
2006027343.tif 000013
【図１２】
2006027343.tif 000014